【手続補正書】
【提出日】平成26年2月25日(2014.2.25)
【手続補正１】
【補正対象書類名】特許請求の範囲
【補正対象項目名】全文
【補正方法】変更
【補正の内容】
【特許請求の範囲】
【請求項１】
画像処理装置における印刷枚数を記憶する記憶手段を備える印刷管理サーバと、画像処理装置とを含む印刷管理システムであって、
前記印刷管理サーバは、
前記記憶手段に記憶された印刷枚数を積算せずに前記画像処理装置において印刷するためのフリー印刷情報を発行するフリー印刷情報発行手段と、
前記画像処理装置から送信された印刷結果であって、当該画像処理装置で実行された印刷枚数を含む印刷結果を用いて、前記記憶手段に記憶された印刷枚数を積算する印刷枚数積算手段と
を備え、
前記画像処理装置は、
前記フリー印刷情報発行手段で発行されたフリー印刷情報の使用を受け付けるフリー印刷情報受付手段と、
ユーザからの指示に応じて印刷を実行する印刷手段と、
前記印刷手段で実行した印刷の印刷枚数を含む印刷結果を前記印刷管理サーバに送信する印刷結果送信手段と
を備え、
前記印刷結果送信手段は、前記フリー印刷情報受付手段で前記フリー印刷情報の使用を受け付けた場合には、当該フリー印刷情報を含む印刷結果を前記印刷管理サーバに送信し、
前記印刷枚数積算手段は、前記フリー印刷情報発行手段で発行されたフリー印刷情報を含む印刷結果を前記画像処理装置から受信した場合には、前記記憶手段に記憶された印刷枚数を積算しないことを特徴とする印刷管理システム。
【請求項２】
前記印刷枚数積算手段は、前記フリー印刷情報発行手段で発行されたフリー印刷情報を含まない印刷結果を前記画像処理装置から受信した場合には、前記記憶手段に記憶された印刷枚数を積算することを特徴とする請求項１に記載の印刷管理システム。
【請求項３】
前記フリー印刷情報は、前記記憶手段に記憶された印刷枚数を積算せずに印刷可能な枚数を示す使用可能枚数を含み、
前記印刷枚数積算手段は、前記受信したフリー印刷情報に含まれる使用可能枚数を超える印刷がなされている場合には、当該使用可能枚数を超えた枚数を前記記憶手段に記憶された印刷枚数に積算することを特徴とする請求項１または２に記載の印刷管理システム。
【請求項４】
前記フリー印刷情報発行手段は、任意の授業を履修しているユーザごとに前記フリー印刷情報を発行することを特徴とする請求項１乃至３のいずれか１項に記載の印刷管理システム。
【請求項５】
前記フリー印刷情報発行手段は、任意の授業を履修しているユーザに課される課題ごとに前記フリー印刷情報を発行することを特徴とする請求項１乃至４のいずれか１項に記載の印刷管理システム。
【請求項６】
画像処理装置における印刷枚数を記憶する記憶手段を備える印刷管理サーバと、画像処理装置とを含む印刷管理システムの制御方法であって、
前記印刷管理サーバのフリー印刷情報発行手段が、前記記憶手段に記憶された印刷枚数を積算せずに前記画像処理装置において印刷するためのフリー印刷情報を発行するフリー印刷情報発行ステップと、
前記画像処理装置のフリー印刷情報受付手段が、前記フリー印刷情報発行ステップで発行されたフリー印刷情報の使用を受け付けるフリー印刷情報受付ステップと、
前記画像処理装置の印刷手段が、ユーザからの指示に応じて印刷を実行する印刷ステップと、
前記画像処理装置の印刷結果送信手段が、前記印刷ステップで実行した印刷の印刷枚数を含む印刷結果を前記印刷管理サーバに送信する印刷結果送信ステップと、
前記印刷管理サーバの印刷枚数積算手段が、前記画像処理装置から送信された印刷結果であって、当該画像処理装置で実行された印刷枚数を含む印刷結果を用いて、前記記憶手段に記憶された印刷枚数を積算する印刷枚数積算ステップと
を備え、
前記印刷結果送信ステップは、前記フリー印刷情報受付ステップで前記フリー印刷情報の使用を受け付けた場合には、当該フリー印刷情報を含む印刷結果を前記印刷管理サーバに送信し、
前記印刷枚数積算ステップは、前記フリー印刷情報発行ステップで発行されたフリー印刷情報を含む印刷結果を前記画像処理装置から受信した場合には、前記記憶手段に記憶された印刷枚数を積算しないことを特徴とする印刷管理システムの制御方法。
【請求項７】
画像処理装置における印刷枚数を記憶する記憶手段を備える印刷管理サーバと、画像処理装置とを含む印刷管理システムの制御方法を実行可能なプログラムであって、
前記印刷管理サーバを、
前記記憶手段に記憶された印刷枚数を積算せずに前記画像処理装置において印刷するためのフリー印刷情報を発行するフリー印刷情報発行手段と、
前記画像処理装置から送信された印刷結果であって、当該画像処理装置で実行された印刷枚数を含む印刷結果を用いて、前記記憶手段に記憶された印刷枚数を積算する印刷枚数積算手段
として機能させ、
前記画像処理装置を、
前記フリー印刷情報発行手段で発行されたフリー印刷情報の使用を受け付けるフリー印刷情報受付手段と、
ユーザからの指示に応じて印刷を実行する印刷手段と、
前記印刷手段で実行した印刷の印刷枚数を含む印刷結果を前記印刷管理サーバに送信する印刷結果送信手段
として機能させ、
前記印刷結果送信手段は、前記フリー印刷情報受付手段で前記フリー印刷情報の使用を受け付けた場合には、当該フリー印刷情報を含む印刷結果を前記印刷管理サーバに送信し、
前記印刷枚数積算手段は、前記フリー印刷情報発行手段で発行されたフリー印刷情報を含む印刷結果を前記画像処理装置から受信した場合には、前記記憶手段に記憶された印刷枚数を積算しないことを特徴とするプログラム。
【請求項８】
印刷管理サーバで発行されたフリー印刷情報であって、印刷枚数を積算せずに画像処理装置において印刷するためのフリー印刷情報の使用を受け付けるフリー印刷情報受付手段と、ユーザからの指示に応じて印刷を実行する印刷手段と、前記印刷手段で実行した印刷枚数を含む印刷結果を前記印刷管理サーバに送信する印刷結果送信手段とを備え、前記印刷結果送信手段は、前記フリー印刷情報受付手段で前記フリー印刷情報の使用を受け付けた場合には、当該フリー印刷情報を含む印刷結果を前記印刷管理サーバに送信することを特徴とする画像処理装置と通信可能に接続され、前記画像処理装置における印刷枚数を記憶する記憶手段を備える印刷管理サーバであって、
前記フリー印刷情報を発行するフリー印刷情報発行手段と、
前記画像処理装置から送信された印刷結果であって、当該画像処理装置で実行された印刷枚数を含む印刷結果を用いて、前記記憶手段に記憶された印刷枚数を積算する印刷枚数積算手段と
を備え、
前記印刷枚数積算手段は、前記フリー印刷情報発行手段で発行されたフリー印刷情報を含む印刷結果を前記画像処理装置から受信した場合には、前記記憶手段に記憶された印刷枚数を積算しないことを特徴とする印刷管理サーバ。
【請求項９】
印刷管理サーバで発行されたフリー印刷情報であって、印刷枚数を積算せずに画像処理装置において印刷するためのフリー印刷情報の使用を受け付けるフリー印刷情報受付手段と、ユーザからの指示に応じて印刷を実行する印刷手段と、前記印刷手段で実行した印刷枚数を含む印刷結果を前記印刷管理サーバに送信する印刷結果送信手段とを備え、前記印刷結果送信手段は、前記フリー印刷情報受付手段で前記フリー印刷情報の使用を受け付けた場合には、当該フリー印刷情報を含む印刷結果を前記印刷管理サーバに送信することを特徴とする画像処理装置と通信可能に接続され、前記画像処理装置における印刷枚数を記憶する記憶手段を備える印刷管理サーバの制御方法であって、
前記印刷管理サーバのフリー印刷情報発行手段が、前記フリー印刷情報を発行するフリー印刷情報発行ステップと、
前記印刷管理サーバの印刷枚数積算手段が、前記画像処理装置から送信された印刷結果であって、当該画像処理装置で実行された印刷枚数を含む印刷結果を用いて、前記記憶手段に記憶された印刷枚数を積算する印刷枚数積算ステップと
を備え、
前記印刷枚数積算ステップは、前記フリー印刷情報発行ステップで発行されたフリー印刷情報を含む印刷結果を前記画像処理装置から受信した場合には、前記記憶手段に記憶された印刷枚数を積算しないことを特徴とする印刷管理サーバの制御方法。
【請求項１０】
印刷管理サーバで発行されたフリー印刷情報であって、印刷枚数を積算せずに画像処理装置において印刷するためのフリー印刷情報の使用を受け付けるフリー印刷情報受付手段と、ユーザからの指示に応じて印刷を実行する印刷手段と、前記印刷手段で実行した印刷枚数を含む印刷結果を前記印刷管理サーバに送信する印刷結果送信手段とを備え、前記印刷結果送信手段は、前記フリー印刷情報受付手段で前記フリー印刷情報の使用を受け付けた場合には、当該フリー印刷情報を含む印刷結果を前記印刷管理サーバに送信することを特徴とする画像処理装置と通信可能に接続され、前記画像処理装置における印刷枚数を記憶する記憶手段を備える印刷管理サーバの制御方法を実行可能なプログラムであって、
前記印刷管理サーバを、
前記フリー印刷情報を発行するフリー印刷情報発行手段と、
前記画像処理装置から送信された印刷結果であって、当該画像処理装置で実行された印刷枚数を含む印刷結果を用いて、前記記憶手段に記憶された印刷枚数を積算する印刷枚数積算手段
として機能させ、
前記印刷枚数積算手段は、前記フリー印刷情報発行手段で発行されたフリー印刷情報を含む印刷結果を前記画像処理装置から受信した場合には、前記記憶手段に記憶された印刷枚数を積算しないことを特徴とするプログラム。
【手続補正２】
【補正対象書類名】明細書
【補正対象項目名】００１０
【補正方法】変更
【補正の内容】
【００１０】
本発明は、印刷管理サーバで発行される情報に応じて印刷枚数を積算せずに印刷することの可能な仕組みを提供することを目的とする。
【手続補正３】
【補正対象書類名】明細書
【補正対象項目名】００１１
【補正方法】変更
【補正の内容】
【００１１】
上記の目的を達成するために、請求項１に記載の印刷管理システムは、画像処理装置における印刷枚数を記憶する記憶手段を備える印刷管理サーバと、画像処理装置とを含む印刷管理システムであって、前記印刷管理サーバは、前記記憶手段に記憶された印刷枚数を積算せずに前記画像処理装置において印刷するためのフリー印刷情報を発行するフリー印刷情報発行手段と、前記画像処理装置から送信された印刷結果であって、当該画像処理装置で実行された印刷枚数を含む印刷結果を用いて、前記記憶手段に記憶された印刷枚数を積算する印刷枚数積算手段とを備え、前記画像処理装置は、前記フリー印刷情報発行手段で発行されたフリー印刷情報の使用を受け付けるフリー印刷情報受付手段と、ユーザからの指示に応じて印刷を実行する印刷手段と、前記印刷手段で実行した印刷の印刷枚数を含む印刷結果を前記印刷管理サーバに送信する印刷結果送信手段とを備え、前記印刷結果送信手段は、前記フリー印刷情報受付手段で前記フリー印刷情報の使用を受け付けた場合には、当該フリー印刷情報を含む印刷結果を前記印刷管理サーバに送信し、前記印刷枚数積算手段は、前記フリー印刷情報発行手段で発行されたフリー印刷情報を含む印刷結果を前記画像処理装置から受信した場合には、前記記憶手段に記憶された印刷枚数を積算しないことを特徴とする。
【手続補正４】
【補正対象書類名】明細書
【補正対象項目名】００１２
【補正方法】変更
【補正の内容】
【００１２】
以上説明したように、本発明によれば、印刷管理サーバで発行される情報に応じて印刷枚数を積算せずに印刷できる効果を奏する。